(57)【特許請求の範囲】
【請求項１】
書籍の表紙部を覆うカバー部材を有し、
前記カバー部材の一部であって、前記書籍の縦方向の長さに応じてブックカバーの縦方向の長さを調節可能な第１余剰部と、
前記カバー部材の一部であって、前記書籍の横方向の長さに応じてブックカバーの横方向の長さを調節可能な第２余剰部と、を有し、
前記第２余剰部の前記書籍の横方向を超える部分の領域が前記表紙部と接触する側とは反対側に折り返された際、前記カバー部材とその折り返された前記第２余剰部との間に空間が形成され、
前記第２余剰部の縦方向における両側部と、前記第２余剰部の裏側に位置する前記カバー部材の縦方向における両側部とを対向させた状態で、その対向する側部間をそれぞれ挟持係止することにより、前記空間に差し込まれた前記表紙部の位置決めする係止体が設けられており、
前記カバー部材は、書籍の表紙部と接触する第１のカバーシートと、前記書籍の表紙部と前記第１のカバーシートが接触する側とは反対側で前記第１のカバーシートと一部の箇所において接合により一体化されている透明な材質の第２のカバーシートとからなる重合カバーシートで構成され、
前記重合カバーシートの縦方向の一端側から他端側に向かい、所定の長さだけ前記第２のカバーシートと接合されていない切欠き部が設けられ、
前記重合カバーシートの内部空間に、前記カバー部材の横の長さと略同一の長さか、それより短い長さの化粧紙が前記切欠き部から差し込み可能である
ことを特徴とするブックカバー。
【請求項２】
請求項１記載のブックカバーにおいて、
前記係止体は、一端が前記第１余剰部で、かつ前記第２余剰部に固定され、他端が前記第２余剰部で、かつ前記第１余剰部とは縦方向の反対となる側に固定され、
前記係止体を、前記ポケット部の縦方向における両端を通り、前記第２余剰部の裏側に位置する前記矩形カバー部と、前記矩形カバー部の一側部に形成された前記第１余剰部とを通るように周回させることで、前記ポケット部の縦方向における両側部をそれぞれ係止状態にできるようにした
ことを特徴とするブックカバー。
【請求項３】
請求項１または２記載のブックカバーにおいて、
前記第２余剰部内の前記第１余剰部の横方向の端に舌状部を設け、前記第２余剰部内の前記矩形カバー部の横方向両端に折り込み可能とし、当該箇所を挟持することによって強度を持たせることを可能とした
ことを特徴とするブックカバー。
【発明の詳細な説明】
【技術分野】
【０００１】
本発明は、ブックカバーに関する。
【背景技術】
【０００２】
書籍の装丁を汚れや傷から守るブックカバーにおいて、少ない部品構成で多様なサイズの書籍に適合させることができるブックカバーが知られている（特許文献１参照）。特許文献１に記載のブックカバーでは、所定サイズの書籍の表紙部の面積に対応する矩形カバー部に加えて、表紙部の縦方向長さを越えて折り返した第１余剰部をカバー部材に設けているので、書籍の縦方向長さに合わせて第１余剰部を折り返すことで規格の書籍サイズに合わせて縦方向の長さを設定することができる。また、カバー部材の両端に、表紙部の横方向長さを越える第２余剰部を設けたので、書籍の横方向の長さ（即ち、表表紙・裏表紙の横の長さ、及び書籍の厚み）に関わらず、書籍のサイズに適合したブックカバーを形作ることができる。
【先行技術文献】
【特許文献】
【０００３】
【特許文献１】特許第５４９０５２７号
【発明の概要】
【発明が解決しようとする課題】
【０００４】
ところで、特許文献１記載のブックカバーの場合、強度を保つために、たとえば、革製などの厚手の材料とすることが好ましい。しかしながら、厚手の材料にてブックカバーを製作した場合、その厚みにより、書籍にぴったりと装着させた状態を維持できない場合がある。特に書籍の表紙部の表側から裏側に渡る折り返しの箇所においてブックカバーの材質の厚みに起因して装着状態をうまく維持することができないという問題がある。
【０００５】
また、特許文献１記載のブックカバー自体の外観デザインは、このブックカバーの購入者の好みに合わせて変更することはできない。そのため、複数のデザインのブックカバーが欲しい場合には、異なるデザインのブックカバーを購入しなければならないという問題がある。
【０００６】
また、特許文献１記載のブックカバーにおける係止体を長帯状とした場合、その長帯状の部分がブックカバーの表面の一定の範囲を覆ってしまうので、ブックカバー自体のデザインに一定の影響を与えてしまうという問題がある。また、長帯状とした場合は、細長の紐形状とした場合よりコストが高くなるという問題がある。  
【０００７】
そこで、本発明は、上述した問題のいずれかに鑑みてなされたものであり、書籍の表紙部を保護するための強度を保ちつつ書籍への装着感を向上させることができるブックカバーの提供を目的とする。
【課題を解決するための手段】
【０００８】
上記の課題を解決するために、本発明に係るブックカバーは、書籍の表紙部を覆うカバー部材を有し、カバー部材の一部であって、書籍の縦方向の長さに応じてブックカバーの縦方向の長さを調節可能な第１余剰部と、カバー部材の一部であって、書籍の横方向の長さに応じてブックカバーの横方向の長さを調節可能な第２余剰部と、を有し、第２余剰部の書籍の横方向を超える部分の領域が表紙部と接触する側とは反対側に折り返された際、カバー部材とその折り返された第２余剰部との間に空間が形成され、第２余剰部の縦方向における両側部と、第２余剰部の裏側に位置するカバー部材の縦方向における両側部とを対向させた状態で、その対向する側部間をそれぞれ挟持係止することにより、空間に差し込まれた表紙部の位置決めする係止体が設けられており、カバー部材は、書籍の表紙部と接触する第１のカバーシートと、書籍の表紙部と第１のカバーシートが接触する側とは反対側で第１のカバーシートと一部の箇所において接合により一体化されている透明な材質の第２のカバーシートとからなる重合カバーシートで構成され、重合カバーシートの縦方向の一端側から他端側に向かい、所定の長さだけ第２のカバーシートと接合されない切欠き部が設けられ、重合カバーシートの内部空間に、カバー部材の横の長さと略同一の長さか、それより短い長さの化粧紙が切欠き部から差し込み可能であることを特徴としている。
【００１０】
上述した発明に加えて、係止体は、一端が第１余剰部で、かつ第２余剰部に固定され、他端が第２余剰部で、かつ第１余剰部とは縦方向の反対となる側に固定され、係止体を、ポケット部の縦方向における両端を通り、第２余剰部の裏側に位置する矩形カバー部と、矩形カバー部の一側部に形成された前記第１余剰部とを通るように周回させることで、ポケット部の縦方向における両側部をそれぞれ係止状態にできるようにしたことが好ましい。
【００１１】
また、上述した発明に加えて、第２余剰部内の第１余剰部の横方向の端に舌状部を設け、第２余剰部内の矩形カバー部の横方向両端に折り込み可能とし、当該箇所を挟持することによって強度を持たせることを可能とすることが好ましい。
【発明の効果】
【００１２】
本発明は、書籍の表紙部を保護するための強度を保ちつつ、書籍への装着感を向上させることができるブックカバーの提供することができる。
【図面の簡単な説明】
【００１３】
【図１】本発明の一実施形態に係るブックカバー１の全体を示す正面図である。
【図２】図１に示すブックカバー１の全体を示す背面図である。
【図３】図１および図２に示すブックカバー１の分解斜視図である。
【図４】図１に示すブックカバー１の組み立て方法を説明するための図である。
【図５】図１に示すブックカバー１の組み立て方法を説明するための図である。
【図６】図４および図５の手順で組み立てられたブックカバーを書籍に装着する一例を示す図である。
【図７】本発明の他の一実施形態に係るブックカバー全体を示す正面図である。
【図８】図７に示すブックカバー全体を示す背面図である。
【図９】図７に示すブックカバーの組み立て方法を説明するための図である。
【図１０】図７に示すブックカバーの組み立て方法を説明するための図である。
【発明を実施するための形態】
【００１４】
以下、本発明のブックカバーの一実施の形態について、添付図面に基づいて説明する。なお、本発明のブックカバーは以下に説明する実施の形態に限定されるものではない。
【００１５】
（ブックカバー１の構成）
図１は、本発明の一実施形態に係るブックカバー１の全体を示す正面図である。図２は、図１に示すブックカバー１の全体を示す背面図である。図３は、図１および図２に示すブックカバー１の分解斜視図である。以下の説明において、図３に示すＸ１-Ｘ２方向をブックカバー１の横方向、Ｙ１−Ｙ２方向をブックカバー１の縦方向とし、Ｚ１側からＺ２方向でブックカバー１を見た場合をブックカバー１の正面方向、Ｚ２側からＺ１方向でブックカバー１を見た場合をブックカバー１の背面方向として説明する。また、以下では、ブックカバー１で保護する書籍について特に図示しないが、書籍および書籍の表紙部の縦方向は、ブックカバー１の縦方向であり、書籍および書籍の表紙部の横方向は、ブックカバー１の横方向であることを前提として説明する。
【００１６】
ブックカバー１は、図１および図２に示すように、カバー部材２を主要な構成要素としている。このカバー部材２は、図３に示すように、カバーシート２ａの融着領域Ｅ１〜Ｅ６と透明カバーシート２ｂの融着領域Ｆ１〜Ｆ６とを重ねて融着することによって一体化させている。ただし、図３に示すように、カバーシート２ａの縁部ａ１,ａ２,ａ３,ａ４については透明カバーシート２ｂとは融着させていないため、図３に示すカバーシート２ａと透明カバーシート２ｂとで囲まれる内部空間に化粧紙Ｐを差し込むことが可能となっている。たとえば、化粧紙Ｐは、カバーシート２ａの縁ａ２または縁ａ３から差し込むことで、図２に示すようにカバー部材２の内部に収納することができる。この化粧紙Ｐは、ブックカバー１の背面側の表面（Ｚ２側からみたときの表面）にデザインが施されている。なお、この化粧紙Ｐは、カバー部材２の横方向の長さと略同一の長さか、それより短い長さのものが好ましい。
【００１７】
カバーシート２ａは、書籍の表紙部と接触するカバーシートである。また、カバーシート２ａは、樹脂製で折り曲げ可能なシート材であり、書籍の表紙から背表紙を経て裏表紙にわたる表紙部およびその表紙部の裏側の裏表紙部の一部を覆う部材である。なお、カバーシート２ａは、書籍の表紙部の表側から裏側に渡る折り返しの箇所およびその近傍を含む領域（後述する透明カバーシートの領域ｈ１およびｈ２に対応する領域）についてはカットされている。なお、カバーシート２ａの材質としては、融着が可能な熱可塑性樹脂であれば、どのような材質でも良いが、代表的なものとしては、ポリプロピレン、ポリ塩化ビニル、ポリエチレン等が挙げられる。また、半透明の紙等のような、樹脂以外の材質を用いても良い。また、上述の説明では、接合の一種として融着としているが、融着以外に接着や溶着等の手法を用いても良い。すなわち、融着、接着または溶着その他、接合を行うものであれば、どのような手法を用いても良い。
【００１８】
このカバーシート２ａには、カット部２０ａが設けられている。カット部２０ａは、カバーシート２ａの縦方向において、一端側（Ｙ１側）から他端側（Ｙ２側）に向かい、所定の長さだけ切り欠いた部分である。そして、このカット部２０ａを介して、カバーシート２ａの領域ｈ１およびｈ２が視認可能となっている。
【００１９】
透明カバーシート２ｂは、書籍の表紙部とカバーシート２ａが接触する側とは反対側でカバーシート２ａと上述した融着領域Ｆ１〜Ｆ６において一体化されているカバーシートである。また、透明カバーシート２ｂは、樹脂製で折り曲げ可能かつ透明なシート材であり、図３に示すように、書籍の表紙部の表側から裏側に渡る折り返しに対応する領域ｈ１を有していて、この領域ｈ１およびｈ２は、カット部２０ａを介して視認可能となっている。したがって、領域ｈ１およびｈ２については、カバーシート２ａとは一体化されないため、直接書籍の表紙部と接触することになる。
【００２０】
すなわち、カバーシート２ａ側にカット部２０ａが存在することで、領域ｈ１およびｈ２は、縦方向（Ｙ方向）の一端側（Ｙ１側；たとえば上端側）から他端側（Ｙ２側；たとえば下端側）に向かい、所定の長さだけ透明カバーシート２ｂのみで書籍の表紙部を覆う部分となっている。ここで、カバーシート２ａが透明カバーシート２ｂと重畳する部分がほとんどである場合には、後述する図６に示すように第２余剰部５を折り曲げた場合に、２重に折り曲げる部分がほとんどであるので、第２余剰部５を折り曲げにくくなる。しかしながら、カット部２０ａがそんざいすることで、上述のような重畳する部分が少なくなるので、第２余剰部５を折り曲げ易くなっている。
【００２１】
なお、透明カバーシート２ｂは、化粧紙Ｐを視認可能な程度の透明性を有していれば良い。そのため、たとえば半透明も、ここでいう透明の概念に該当する。透明カバーシート２ｂの材質としては、このような透明性を有しているものであれば、上述した樹脂と同様の材質を用いることができる。
【００２２】
これらカバーシート２ａと透明カバーシート２ｂとから構成されるカバー部材２は、矩形カバー部３と、第１余剰部４と、第２余剰部５と、帯状係止体６と、紐状係止体７と、第３余剰部８と、第４余剰部９と、筆記用具収納部１０とを有している。
【００２３】
矩形カバー部３は、このブックカバー１を使用可能な書籍のうち最も小さなサイズの書籍（例えば、文庫サイズ）の表紙部の大きさに対応する領域である。ただし、矩形カバー部３は、必ずしもこのブックカバー１を使用可能な書籍のうち最も小さなサイズの書籍の表紙部に対応する大きさでなくてもよい。
【００２４】
第１余剰部４は、カバー部材２の一部であって、書籍の縦方向の長さに応じてブックカバー１の縦方向の長さを調節可能な領域である。第１余剰部４は、書籍の表紙部の縦方向の長さに応じて、書籍の表紙部と接触する側とは反対側へと折り返すことによって書籍の縦方向の長さに応じた調節が可能となっている。第１余剰部４は、横方向に筋付けされた複数の折り曲げ誘導線Ｌによって区画付けられている。この複数の折り曲げ誘導線Ｌは、書籍の所定の規格サイズ（たとえば、文庫サイズの場合、１０５ｍｍ×１４８ｍｍなど）における書籍の縦方向の長さに対応する箇所毎に筋付けされている。この複数の折り曲げ誘導線Ｌに沿って第１余剰部４を書籍と接触する側とは反対の側（すなわちブックカバー１の背面側）へ折り返すことにより、迅速かつ容易に規格サイズの書籍の縦方向の長さを設定することができる。なお、本実施形態においては、筋付けされた折り曲げ誘導線Ｌを、第１余剰部４に設けたが、折り曲げを誘導しうるものであれば、如何なるものであってもよく、例えば、ミシン目や印刷された直線、型で筋押しした線であってもよい。
【００２５】
第２余剰部５は、カバー部材２の一部であって、書籍の横方向の長さに応じてブックカバー１の横方向の長さを調節可能な領域である。第２余剰部５は、書籍の表紙部の横方向の長さに応じて、書籍の表紙部の裏表紙と接触する側（すなわち、ブックカバー１の正面側）へと折り返すことによって書籍の横方向の長さに応じた調節が可能となっている。第２余剰部５は、縦方向に筋付けされた複数の折り曲げ誘導線Ｒによって区画付けられている。この折り曲げ誘導線Ｒは、所定の規格サイズ（文庫サイズの場合、１０５ｍｍ×１４８ｍｍ）の書籍の横方向の長さに対応する箇所毎に筋付けされている。この複数の折り曲げ誘導線Ｒに沿って第２余剰部５を書籍の裏表紙と接触する側へと折り返すことにより、迅速かつ容易に規格サイズの書籍の横方向の長さを設定することができる。なお、本実施形態においては、筋付けされた折り曲げ誘導線Ｒを、第２余剰部５に設けたが、折り曲げを誘導しうるものであれば、如何なるものであってもよく、例えば、ミシン目や印刷された直線、型で筋押しした線であってもよい。
【００２６】
帯状係止体６は、カバー部材２の左右両端側部の上方にそれぞれ設けられており、書籍の表紙部をカバー部材２が覆った状態で固定させるためのものである。帯状係止体６の根元６Ａはカバー部材２に固定されており、この根元６Ａを起点として帯部６Ｂを自由に可撓させることが可能となっている。また、この根元６Ａの反対側の先端部６Ｃには紐状係止体７の先端７Ａが取り付けられている。
【００２７】
紐状係止体７は、ゴム紐などの弾性部材で構成されており、上述の帯状係止体６と第３余剰部８とを結ぶと共に、帯状係止体６と共に、書籍の表紙部をカバー部材２が覆った状態で固定させる役割を果たしている。
【００２８】
第３余剰部８は、カバー部材２の左右両端側部の上方にそれぞれ取り付けられており、第２余剰部５が書籍の表紙部の裏側の一部を覆う際に、帯状係止体６と共に、紐状係止体７をカバー部材２の背面側から回して書籍の表紙部を挟持させ、カバー部材２が書籍の表紙部を覆った状態を固定させるためのものである。なお、この第３余剰部８に取り付けられている紐状係止体７は、カバー部材２の背面側に取り付けられている。
【００２９】
第４余剰部９は、第２余剰部５が外側に捲れてしまうことを防止するためのものである。
【００３０】
筆記用具収納部１０は、ブックカバー１に筆記用具（不図示）を収納することができる空間を有する部分である。
【００３１】
（ブックカバー１の組み立て方法）
図４および図５は、図１に示すブックカバー１の組み立て方法を説明するための図である。なお、本来は、書籍をカバー部材２の略中心に置きながら作業するものであるが、説明の便宜上、図面上での書籍は省略している。また、図４、図５においては、紙面右側（Ｘ１側）のみを折り返しする場合について図示しているが、紙面左側（Ｘ２側）についても、紙面右側（Ｘ１側）と同様に折り返しても良いのは勿論である。さらに、紙面左側（Ｘ２側）のみを折り返しても良い。
【００３２】
まず、図４の（Ａ）に示すように、第１余剰部４を書籍と接触する側とは反対の側（カバー部材２の背面側；Ｚ２側）へと折り返す。この折り返し作業において、ブックカバー１で保護する書籍の縦方向の長さに応じて適切な折り曲げ誘導線Ｌ１,Ｌ２,Ｌ３…のいずれかを選択することによりブックカバー１の縦方向の長さを適宜調整することができる。なお、折り曲げ誘導線Ｌは、Ｌ１〜Ｌ３に限られるものではなく、それ３つ以上存在していても良い。
【００３３】
続いて、図４の（Ｂ）に示すように、第２余剰部５を書籍と接触する側（カバー部材２の正面側；Ｚ１側）へと折り返す。このとき、図４の（Ａ）の状態で既に反対側へ折り返された第１余剰部４と共に第２余剰部５を折り曲げることになる。なお、この折り返し作業は、ブックカバー１で保護する書籍の横方向の長さに応じて適切な折り曲げ誘導線Ｒ１,Ｒ２,Ｒ３…のいずれかを選択することによりブックカバー１の横方向の長さを適宜調整することができる。なお、折り曲げ誘導線Ｒは、Ｒ１〜Ｒ３に限られるものではなく、それ３つ以上存在していても良い。また、Ｘ１側の帯状係止体６は、正面側（Ｚ１側）に位置する状態としておく。
【００３４】
更に、図５の（Ａ）に示すように、帯状係止体６の帯部６Ｂと紐状係止体７とをカバー部材２の正面側（Ｚ１側）から背面側（Ｚ２側）へと移動させるように操作する。帯状係止体６の帯部の一部およびその先端６Ｃと、第３余剰部８をカバー部材２の背面側（Ｚ２側）へ回り込ませることで、矩形カバー部３と第２余剰部５の間に書籍の表紙部を挟持することができる空間Ｓ（後述の図６参照）が形成されることになる。この空間Ｓに書籍の表紙部を挿入することで書籍がしっかりと挟持することができる。このとき、カバー部材２のうち、書籍の表紙部の表側から裏側に渡って折り返して接触する部分は、その縦方向（Ｙ方向）の一端側から他端側に向かい、所定の長さだけ透明カバーシート２ｂのみで覆っている。
【００３５】
最後に、図５の（Ｂ）に示すように、第４余剰部９を折り返された第２余剰部５の端部裏側へと差し込む。この操作により、第２余剰部５が外側に捲れてしまうことを防止することができる。
【００３６】
図６は、図４および図５の手順で作成されたブックカバー１を書籍に装着する一例を示す図である。図６の（Ａ）に示すように、矩形カバー部３と第２余剰部５の間に書籍の表紙部を挟持することができる空間Ｓが形成されるため、この空間Ｓに書籍の表紙部を左右それぞれに差し込むことでブックカバー１の装着が完了する。また、図６の（Ｂ）に示すようにブックカバー１の表紙上部には化粧紙Ｐのデザインが表示されることになる。
【００３７】
以上で説明したように、ブックカバー１は、書籍の表紙部を覆うカバー部材２を有し、このカバー部材２は、書籍の表紙部と接触するカバーシート２ａと、書籍の表紙部とカバーシート２ａが接触する側とは反対側でカバーシート２ａの一部において融着により一体化されている透明カバーシート２ｂとを有し、カバー部材２が書籍の表紙部の表側から裏側に渡って折り返して接触する部分は、縦方向（Ｙ方向）の一端側（Ｙ１側）から他端側（Ｙ２側）に向かい、所定の長さだけ透明カバーシート２ｂのみで書籍の表紙部を覆うようにしている。
【００３８】
このような構成を採用することにより、カバーシート２ａと透明カバーシート２ｂとで覆われる箇所については、ブックカバー１の強度が保持される。一方、書籍の表紙部の表側から裏側に渡る折り返しの箇所（たとえば、図３の透明カバーシート２ｂの領域ｈ１およびｈ２）におけるブックカバー１の厚みは、カバーシート２ａにカット部２０ａが存在することで、所定の長さだけ、透明カバーシート２ｂのみの厚みとなるため、カバーシート２ａおよび透明カバーシート２ｂの両方の厚さを有する場合と比較してブックカバー１の書籍への装着状態をより向上させることができる。
【００３９】
また、透明カバーシート２ｂは、透明の材質であり、カバーシート２ａと透明カバーシート２ｂとが一体化されて形成される空間に、カバー部材２の横の長さと略同一の長さか、それより短い長さの化粧紙Ｐが差し込み可能となっている。これにより、図６の（Ｂ）に示したように、カバー部材２の透明カバーシート２ｂの透明部分がブックカバー１の表紙側に現れるため、カバーシート２ａおよび透明カバーシート２ｂとの間に挿入された化粧紙Ｐを使用者の好みに応じて変更することで、ブックカバー１の外観デザインを自由に変化させることができる。
【００４０】
また、このブックカバー１は、書籍の表紙部を覆うカバー部材２を有し、カバー部材２の一部であって、書籍の縦方向の長さに応じてブックカバー１の縦方向の長さを調節可能な第１余剰部４と、カバー部材２の一部であって、書籍の横方向の長さに応じてブックカバー１の横方向の長さを調節可能な第２余剰部５とを有し、第２余剰部５の書籍の横方向を超える部分の領域が表紙部と接触する側とは反対側に折り返された際、カバー部材２とその折り返された第２余剰部５との間に空間Ｓが形成される。また、第２余剰部５の縦方向における両側部と、第２余剰部５の裏側に位置するカバー部材２の縦方向における両側部とを対向させた状態で、その対向する側部間をそれぞれ挟持係止することにより、上述の空間Ｓに差し込まれた表紙部の位置決めする係止体（帯状係止体６、紐状係止体７）が設けられており、この係止体の一部は弾性を有する紐状係止体７である。これにより、全ての係止体を帯状とするよりも、ブックカバー１の外観デザインに影響を与えないようにした上で、書籍の表紙部を挟持することができる。
【００４１】
また、このブックカバー１は、カバー部材２の左右両端側部の上方に取り付けられている第３余剰部８を有しており、この第３余剰部８のうち、カバー部材２の背面側に紐状係止体７が取り付けられている。これにより、紐状係止体７の紐をカバー部材２の背面側から回して書籍の表紙部を挟持する場合であっても、この紐状係止体７は、第３余剰部８の表面に接触するだけであり、書籍に直接触れることがないため、摩擦等により書籍を傷めることがない。また、紐状係止体７自体も書籍との摩擦等により傷めてしまうことがない。
【００４２】
（変形例）
続いて、図１に示したブックカバー１とは異なる他の実施形態について説明する。図７は、本発明の他の一実施形態に係るブックカバー１Ａ全体を示す正面図である。図８は、図７に示すブックカバー１Ａ全体を示す背面図である。なお、図１および図２に示したブックカバー１と同一の部分については同一の符号を付し、その説明を省略する。なお、図７および図８に示すブックカバー１Ａでは、カバー部材２は、カバーシート２ａと透明カバーシート２ｂとの２重構成とはなっていないが、カバー部材２は、カバーシート２ａと透明カバーシート２ｂの２重構成であっても良い。
【００４３】
図７および図８に示すように、このブックカバー１Ａでは、紐状係止体７の紐部分に沿って移動可能な保護用係止体６Ｄが設けられている。また、第３余剰部８Ａは、図1に示す第３余剰部８とは異なり、紐状係止体７とはカバー部材２の背面側にて取り付けられている。
【００４４】
保護用係止体６Ｄは、カバー部材２の下方における紐状係止体７が書籍に直接接触しないように保護するためのものである。なお、保護用係止体６Ｄは、書籍の縦の長さに応じて保護する位置が異なるため、紐状係止体７の紐部分に沿って移動させることができるように構成されている。また、カバー部材２左右両端の側部には、紐状係止体７をガイドするためのスリット６Ｅが設けられている。
【００４５】
第３余剰部８Ａには、スリット８Ｂが設けられている。スリット８Ｂに対して紐状係止体７を沿うように配置させることで、スリット８Ｂは、紐状係止体７をガイドおよび位置決めする役割を果たしている（図１０参照）。
【００４６】
図９および図１０は、図７に示すブックカバー１Ａの組み立て方法を説明するための図である。なお、組み立て方については図４および図５にて説明したブックカバー１と同様であるため、一部の異なる部分についてのみ説明する。
【００４７】
図９の（Ａ）に示すように、第１余剰部４を書籍と接触する側とは反対の側（カバー部材２の背面側）へと折り返す。この折り返し作業において、ブックカバー１で保護する書籍の縦方向の長さに応じて適切な折り曲げ誘導線Ｌ１,Ｌ２,Ｌ３…のいずれかを選択することによりブックカバー１の縦方向の長さを適宜調整することができる。なお、図４の（Ａ）で説明したブックカバー１とは異なり、紐状係止体７は、第３余剰部８Ａの背面側に取り付けられている。
【００４８】
続いて、図９の（Ｂ）に示すように、第２余剰部５を書籍と接触する側（カバー部材２の正面側）へと折り返す。このとき、図９の（Ａ）の状態で既に反対側へ折り返された第１余剰部４と共に第２余剰部５を折り曲げることになる。なお、この折り返し作業は、ブックカバー１Ａで保護する書籍の横方向の長さに応じて適切な折り曲げ誘導線Ｒ１,Ｒ２,Ｒ３…のいずれかを選択することによりブックカバー１の横方向の長さを適宜調整することができる。
【００４９】
更に、図１０の（Ａ）に示すように、保護用係止体６Ｄと紐状係止体７をカバー部材２の正面側（Ｚ１側）から背面側（Ｚ２側）へと移動させるように操作する。このとき、ブックカバー１Ａの上部では、第３余剰部８Ａで矩形カバー部３と第２余剰部５を直接挟持させると共に、紐状係止体７の紐をスリット８Ｂに沿わせた位置となるように調整する。一方、ブックカバー１Ａの下部では、紐状係止体７をカバー部材２のスリット６Ｅに沿わせると共に、保護用係止体６Ｄを下部に移動させて、保護用係止体６Ｄが矩形カバー部３と第２余剰部５を直接挟持するような位置に調整する。これらの操作により、矩形カバー部３と第２余剰部５の間に書籍の表紙部を挟持することができる空間Ｓが形成されると共に、この空間Ｓに書籍の表紙部を挿入することで書籍がしっかりと挟持することができるようになる。また、保護用係止体６Ｄは紐状係止体７に沿って移動可能であり、書籍のサイズに応じて縦方向の長さが変化しても、適宜紐状係止７の紐上での位置を移動させることで、適切な位置で書籍の表紙部と紐状係止体７の紐と直接接触しないように保護することが可能である。
【００５０】
なお、このブックカバー１Ａでは、図１のブックカバー1とは異なり、化粧紙Ｐを差し込み可能な空間が設けられていない。しかしながら、カバー部材２は、２つのカバーシートで覆われる箇所については、ブックカバー１Ａの強度が保持される。そして、書籍の表紙部の表側から裏側に渡って折り返して接触する領域ｈ３およびｈ４は、図１のブックカバー１と同様に１枚のカバーシートにより保護するようにしているため、２枚のカバーシートの厚さを有する場合と比較してブックカバー１Ａの書籍への装着状態をより向上させることができる。
【産業上の利用可能性】
【００５１】
上述の発明は、書籍包装用の包装部材としても利用可能である。
【符号の説明】
【００５２】
１,１Ａ…ブックカバー、２…カバー部材、２ａ…カバーシート（第１のカバーシート）、２ｂ…透明カバーシート（第２のカバーシート）、３…矩形カバー部、４…第１余剰部、５…第２余剰部、６…帯状係止体、７…紐状係止体、８,８Ａ…第３余剰部、９…第４余剰部、Ｐ…化粧紙
【図１】
0006521378.tif 000002
【図２】
0006521378.tif 000003
【図３】
0006521378.tif 000004
【図４】
0006521378.tif 000005
【図５】
0006521378.tif 000006
【図６】
0006521378.tif 000007
【図７】
0006521378.tif 000008
【図８】
0006521378.tif 000009
【図９】
0006521378.tif 000010
【図１０】
0006521378.tif 000011